【手続補正書】
【提出日】平成30年3月30日(2018.3.30)
【手続補正１】
【補正対象書類名】特許請求の範囲
【補正対象項目名】全文
【補正方法】変更
【補正の内容】
【特許請求の範囲】
【請求項１】
所定の領域に配置された複数のセンサと、
管理装置とを備え、
前記管理装置は、
前記複数のセンサから無線送信されるセンサ情報を取得する取得部と、
前記取得部によって取得された前記センサ情報を蓄積する蓄積部と、
前記センサ情報を用いて前記所定の領域に関する異常判定を行う判定部と、
前記判定部による判定結果に基づく内容を通知する通知部と、
前記取得部によって取得された前記センサ情報に基づいて、前記所定の領域に関する内容を時間的に表示する制御が可能である表示制御部とを備え、
前記判定部は、前記取得部によって取得された前記センサ情報から推定された時間変化を示す傾向情報と、予め登録された判定用情報とを比較することで前記異常判定を行い、
前記傾向情報には、前記センサ情報の時間変化の範囲の大きさに基づく情報が含まれる、管理システム。
【請求項２】
所定の領域に配置された複数のセンサと、
管理装置とを備え、
前記管理装置は、
前記複数のセンサから無線送信されるセンサ情報を取得する取得部と、
前記取得部によって取得された前記センサ情報を蓄積する蓄積部と、
前記センサ情報を用いて前記所定の領域に関する異常判定を行う判定部と、
前記判定部による判定結果に基づく内容を通知する通知部と、
前記取得部によって取得された前記センサ情報に基づいて、前記所定の領域に関する内容を時間的に表示する制御が可能である表示制御部とを備え、
前記判定部は、対象期間における前記センサ情報に基づく情報と前記異常判定に用いる情報である判定用情報とを比較し、比較結果に基づいて前記所定の領域における異常エリアの判定を行い、
前記判定部は、前記対象期間における前記センサ情報に基づいて前記異常エリアの時間的推移を予測する、管理システム。
【請求項３】
所定の領域に配置された複数のセンサと、
管理装置とを備え、
前記管理装置は、
前記複数のセンサから無線送信されるセンサ情報を取得する取得部と、
前記取得部によって取得された前記センサ情報を蓄積する蓄積部と、
前記センサ情報を用いて前記所定の領域に関する異常判定を行う判定部と、
前記判定部による判定結果に基づく内容を通知する通知部と、
前記取得部によって取得された前記センサ情報に基づいて、前記所定の領域に関する内容を時間的に表示する制御が可能である表示制御部とを備え、
前記センサ情報は、前記所定の領域についての煙の計測結果を含み、
前記表示制御部は、前記所定の領域における煙の滞留時間を表示する制御を行う、管理システム。
【請求項４】
前記判定部は、前記取得部によって取得された前記センサ情報と、予め登録された判定用情報とを比較することで前記異常判定を行う、請求項３に記載の管理システム。
【請求項５】
前記判定部は、前記取得部によって取得された前記センサ情報から推定された時間変化を示す傾向情報と、予め登録された判定用情報とを比較することで前記異常判定を行う、請求項３に記載の管理システム。
【請求項６】
所定の領域に配置された複数のセンサと、
管理装置とを備え、
前記管理装置は、
前記複数のセンサから無線送信されるセンサ情報を取得する取得部と、
前記取得部によって取得された前記センサ情報を蓄積する蓄積部と、
前記センサ情報を用いて前記所定の領域に関する異常判定を行う判定部と、
前記判定部による判定結果に基づく内容を通知する通知部と、
前記取得部によって取得された前記センサ情報に基づいて、前記所定の領域に関する内容を時間的に表示する制御が可能である表示制御部とを備え、
前記判定部は、前記取得部によって取得された前記センサ情報と、予め登録された判定用情報とを比較することで前記異常判定を行い、
前記判定部は、前記取得部によって取得された前記センサ情報に基づく前記センサ情報の時間変化の傾向が正常であるか否かのユーザによる判断結果をさらに取得することで、予め登録された前記判定用情報を補正する、管理システム。
【請求項７】
前記判定部は、前記取得部によって取得された第１の前記センサの前記センサ情報の示す値の第１の時間変化、および前記取得部によって取得された前記第１のセンサと異なる第２の前記センサの前記センサ情報の示す値の第２の時間変化と、予め登録された、前記第１のセンサの前記センサ情報および前記第２のセンサの前記センサ情報に係る判定用情報とを比較することで前記異常判定を行う、請求項１から請求項６のいずれか１項に記載の管理システム。
【請求項８】
前記判定部は、前記取得部によって取得された前記センサ情報と、予め登録された判定用情報とを比較することで前記異常判定を行い、
前記判定用情報はしきい値であり、
前記判定部は、前記異常判定を行う期間である判定期間が分割された複数の分割判定期間ごとに前記しきい値を設定する、請求項１、および請求項３から請求項７のいずれか１項に記載の管理システム。
【請求項９】
前記判定部は、前記センサ情報の示す値に基づいて各前記分割判定期間を設定する、請求項８に記載の管理システム。
【請求項１０】
前記判定部は、第１の期間における前記センサ情報の示す値の時間変化と、前記第１の期間より前の第２の期間における前記センサ情報の示す値の時間変化とを比較することで前記異常判定を行う、請求項５に記載の管理システム。
【請求項１１】
前記判定部は、前記第２の期間における前記時間変化として、正常な時間変化および異常な時間変化を用いる、請求項１０に記載の管理システム。
【請求項１２】
前記判定部は、対象期間における前記センサ情報に基づく情報と前記異常判定に用いる情報である判定用情報とを比較し、比較結果に基づいて前記所定の領域における異常エリアの判定を行い、
前記判定部は、前記所定の領域における第１の異常エリア、および前記第１の異常エリアに対して少なくとも一部が異なる第２の異常エリアを含む複数の異常エリアを判定し、
前記判定部は、前記センサ情報の示す値と第１範囲とを比較し、比較結果に応じて前記第１の異常エリアを判定し、前記センサ情報の示す値と前記第１範囲に対して少なくとも一部が異なる第２範囲とを比較し、比較結果に応じて前記第２の異常エリアを判定する、請求項１から請求項１１のいずれか１項に記載の管理システム。
【請求項１３】
前記判定部は、判定した前記第１の異常エリアが拡張するかまたはシフトする前記第２の異常エリアを判定する、請求項１２に記載の管理システム。
【請求項１４】
前記判定部は、前記取得部によって取得された前記センサ情報から推定された未来のセンサ情報と、予め登録された判定用情報とを比較することで前記異常判定を行う、請求項３に記載の管理システム。
【請求項１５】
前記管理装置は、前記判定結果が異常となるタイミングを算出する、請求項１４に記載の管理システム。
【請求項１６】
前記管理システムは、さらに、
前記センサ情報を無線通信によって中継する複数の中継装置を備え、
前記センサ情報は、前記複数の中継装置経由で前記管理装置へ伝送される、請求項１から請求項１５のいずれか１項に記載の管理システム。
【請求項１７】
前記センサ情報は、前記所定の領域についての煙、温度、湿度、電流、電圧、濃度、圧力、加速度および角速度のうちの少なくともいずれか１つの計測結果を含む、請求項１から請求項１６のいずれか１項に記載の管理システム。
【請求項１８】
前記センサ情報は、煙の計測結果を含み、
前記管理装置は、前記所定の領域における煙の流れ、分布および滞留時間のうちの少なくともいずれか１つを表示する制御を行う、請求項１７に記載の管理システム。
【請求項１９】
前記管理装置は、前記煙の計測結果に基づいて、前記所定の領域における火災エリアを判定し、
前記管理装置は、前記火災エリアから前記所定の領域の外部までの避難ルートを表示する制御を行う、請求項１８に記載の管理システム。
【請求項２０】
前記管理装置は、前記煙の計測結果に基づいて、前記所定の領域における火災エリアを判定し、
前記管理装置は、前記所定の領域の外部から前記火災エリアまでの駆けつけルートを表示する制御を行う、請求項１８または請求項１９に記載の管理システム。
【請求項２１】
前記管理装置は、前記所定の領域における火災エリアに対して用いるべき消火用具の位置を表示する制御を行う、請求項１８から請求項２０のいずれか１項に記載の管理システム。
【請求項２２】
前記所定の領域は、工場に含まれる、請求項１から請求項２１のいずれか１項に記載の管理システム。
【請求項２３】
所定の領域に配置された複数のセンサから無線送信されるセンサ情報を取得する取得部と、
前記センサ情報を用いて前記所定の領域に関する異常判定を行う判定部と、
前記判定部による判定結果に基づく内容を通知する通知部と、
前記取得部によって取得された前記センサ情報に基づいて、前記所定の領域に関する内容を時間的に表示する制御が可能である表示制御部とを備え、
前記判定部は、前記取得部によって取得された前記センサ情報から推定された時間変化を示す傾向情報と、予め登録された判定用情報とを比較することで前記異常判定を行い、
前記傾向情報には、前記センサ情報の時間変化の範囲の大きさに基づく情報が含まれる、管理装置。
【請求項２４】
所定の領域に配置された複数のセンサと、管理装置とを備える管理システムにおける管理方法であって、
前記管理装置が、前記複数のセンサから無線送信されるセンサ情報を取得するステップと、
前記管理装置が、取得した前記センサ情報を蓄積するステップと、
前記管理装置が、前記センサ情報を用いて前記所定の領域に関する異常判定を行うステップと、
前記管理装置が、判定した結果に基づく内容を通知するステップと、
前記管理装置が、取得した前記センサ情報に基づいて、前記所定の領域に関する内容を時間的に表示する制御を行うステップとを含み、
前記異常判定を行うステップにおいては、取得した前記センサ情報から推定された時間変化を示す傾向情報と、予め登録された判定用情報とを比較することで前記異常判定を行い、
前記傾向情報には、前記センサ情報の時間変化の範囲の大きさに基づく情報が含まれる、管理方法。
【請求項２５】
管理装置において用いられる管理プログラムであって、
コンピュータを、
所定の領域に配置された複数のセンサから無線送信されるセンサ情報を取得する取得部と、
前記センサ情報を用いて前記所定の領域に関する異常判定を行う判定部と、
前記判定部による判定結果に基づく内容を通知する通知部と、
前記取得部によって取得された前記センサ情報に基づいて、前記所定の領域に関する内容を時間的に表示する制御が可能である表示制御部、
として機能させるためのプログラムであり、
前記判定部は、前記取得部によって取得された前記センサ情報から推定された時間変化を示す傾向情報と、予め登録された判定用情報とを比較することで前記異常判定を行い、
前記傾向情報には、前記センサ情報の時間変化の範囲の大きさに基づく情報が含まれる、管理プログラム。